(57)【要約】【課題】  鏡を蓋体に組み込むことが簡単にでき、鏡面を大きく有効に使用できる鏡付きコンパクト容器を提供すること。【解決手段】    ケース本体と、該ケース本体に取着された蓋体とからなるコンパクト容器であって、蓋体の頂壁裏面に支持枠を設け、該支持枠に表面側縁に傾斜面を形成した鏡を嵌め込み、支持枠を内側に屈曲させ、鏡を蓋体に取着するようにしたことを特徴とする。  支持枠の屈曲方法として、加熱、或いは超音波を伴う押圧により屈曲させたことを特徴し、支持枠の構成は、屈曲させた支持枠の下端面と、鏡面がほぼ面一になるようにする。【選択図】  図１
2005152375.tif 000002
【特許請求の範囲】
【請求項１】
ケース本体と、該ケース本体に取着された蓋体とからなるコンパクト容器であって、
蓋体の頂壁裏面に支持枠を設け、該支持枠に表面側縁に傾斜面を形成した鏡を嵌め込み、支持枠を内側に屈曲させ、鏡を蓋体に取着するようにしたことを特徴とする鏡付きコンパクト容器。
【請求項２】
前記支持枠を、加熱、或いは超音波を伴う押圧により屈曲させたことを特徴とする請求項１記載の鏡付きコンパクト容器。
【請求項３】
屈曲させた支持枠の下端面と、鏡面がほぼ面一になるようにしたことを特徴とする請求項１、２記載の鏡付きコンパクト容器。
【発明の詳細な説明】
【技術分野】
【０００１】
本発明は、鏡付きコンパクト容器、とくに鏡の取付を容易かつ強固にできるようにした鏡付きコンパクト容器に関するものである。
【背景技術】
【０００２】
鏡付きコンパクト容器において、鏡をコンパクト容器に鏡枠を用いて、取着することは、従来より知られている（例えば特許文献１参照）。
【特許文献１】特開２０００−６０６３３号公報
【０００３】
特許文献１記載のコンパクト容器は、蓋体の裏側に凹部を設け、該凹部に鏡と鏡を該凹部に固定させるための鏡枠が嵌め込まれるとともに、鏡枠と蓋体とを超音波接着により固着されるようにしている。
また、鏡は、該凹部の内側中央線上の二カ所に形成された凸部と鏡枠に該凸部に対応した位置に形成された二カ所の凸部とで挟むことで支持されている。
【発明の開示】
【発明が解決しようとする課題】
【０００４】
しかしながら、上記特許文献１記載のコンパクト容器は、鏡が離れた二点を挟み込むことで支持されており、鏡枠が鏡の平坦面端縁を保持しているため、使用できる鏡の面積が小さくなるという問題があった。
また、鏡枠が別体であるため、組立工程数の増加やコスト増加等という問題があった。
【０００５】
本発明は、上記の問題点を解決することを課題として、鏡を蓋体に組み込むことが簡単にでき、鏡面を大きく有効に使用できる鏡付きコンパクト容器を提供することを目的とする。
【課題を解決するための手段】
【０００６】
本発明は、上記の課題を解決するため、鏡付きコンパクト容器として、ケース本体と、該ケース本体に取着された蓋体とからなるコンパクト容器であって、蓋体の頂壁裏面に支持枠を設け、該支持枠に表面側縁に傾斜面を形成した鏡を嵌め込み、支持枠を内側に屈曲させ、鏡を蓋体に取着するようにしたことを特徴とする。
また、支持枠の屈曲方法として、加熱、或いは超音波を伴う押圧により屈曲させたことを特徴とする構成を採用する。
さらに、支持枠の具体的構成として、屈曲させた支持枠の下端面と、鏡面がほぼ面一になるようにしたことを特徴とする構成を採用する。
【発明の効果】
【０００７】
鏡の表面側縁に傾斜面を形成し、側支持枠の下端を内側に屈曲させて係止部として鏡を固定するので、蓋体裏面に鏡表面の側縁が係止されることになり、強固に保持することができる。
支持枠だけを屈曲させるだけでよいので、鏡を蓋体に取着することが容易にできる。
【０００８】
支持枠を、加熱、或いは超音波を伴う押圧により屈曲させるので、容易に鏡を蓋体に取着することができる。
【０００９】
押圧屈曲の際に、鏡の傾斜面だけをうめ込むよう側支持枠の高さを調節することにより、鏡面にほぼ面一になるようにできるので、鏡面と支持枠との間の美観が損なわれることもない。
【発明を実施するための最良の形態】
【００１０】
次に、本発明のコンパクト容器の実施形態について説明する。
図１において、Ａはケース本体、Ｂはケース本体Ａに蝶番を介して取着された蓋体、Ｃはケース本体Ａに装着された蓋係止部材である。
【００１１】
図１〜４に示すように、ケース本体Ａは、底壁１と、底壁１の各端縁に立設された前壁２と後壁３、および側壁４ａ，４ｂとからなっている。
図１、３、４に示すように、前壁２の中央部には、蓋係止部材Ｃを取着するための嵌挿孔５が設けられており、前壁２の上面には、挿入孔６が穿設されている。
嵌挿孔５の内側の端面７には、係止片８が突設されており、係止片８をはさんで上面を傾斜する案内面９とした案内突起１０が突設されている。
【００１２】
嵌挿孔５には操作部材１１が嵌挿され、操作部材１１は、上板１２と押さえ板１３と下板１４とからなっており、上板１２の内端には、薄肉部１５を介して、案内突起１０の案内面９に係合する一対の作動板１６が設けられている。
下板１４の下面には、ストッパー１７が突設されており、底壁１に設けた係止溝に嵌挿され、操作部材１１の抜け落ちを防止している。
【００１３】
ケース本体Ａの後壁３には、蝶番取付のための切欠部１９が設けられ、切欠部１９の端面から後壁３を貫通する軸受孔２０ａ，２０ｂが穿孔されている。
ケース本体Ａ内部を区分して仕切壁２１が設けられており、仕切板２１の一方には、化粧皿２２が収納され、他方には、パフが収納されるようになっている。
【００１４】
図３、４に示すように、蓋体Ｂは、頂壁２５と、該頂壁２５の端縁から垂設された前壁２６と、後壁２７および側壁２８ａ，２８ｂとからなっている。
前壁２６の内側の所定位置には、頂壁２５から係止部材２９が垂設されており、係止部材２９は、ケース本体Ａの案内突起１０の巾に対応する係合板３０を下面に設けた支持板３１と、係合板３０の中央に垂設され、閉蓋時に、係止片８に係合する係止片３２とからなっている。
【００１５】
後壁２７の下端中央部には、蝶番３３が設けられ、蝶番３３の端面には、軸受孔３４ａ，３４ｂが穿孔されている。
軸受孔３４には、ケース本体Ａの後壁３に穿孔された軸受孔２０ａ，２０ｂを通じて、蝶番ピン３５が嵌挿され、蓋体Ｂは、蝶番３３を介してケース本体Ａに廻動自在に取着されている。
【００１６】
図１、２、４に示すように、頂壁２５裏面には、鏡３６を取着するための支持枠３７が設けられており、支持枠３７は、横方向に延びる一対の前支持枠３８ａ，３８ｂと、後支持枠３９ａ，３９ｂ、前後方向に延びる一対の側支持枠４０、４１とからなっている。
頂壁２５の裏面中央部は、上方に湾曲しており、複数のリブ４５が設けられている。
【００１７】
鏡３６には、鏡面の表側端縁に傾斜面３６ａ，３６ｂが形成されている。
鏡３６は、前後支持枠３８、３９の間でリブ４５上に載置され、側支持枠４０と側支持枠４１との間に支持される。
【００１８】
鏡の取着にあたっては、図５（ａ）に示すように、側支持枠４０は、その下端を加熱押圧部材４６を用い、内方に加熱押圧され、図５（ｂ）に示すように、鏡面傾斜面３６a上に係止部４７aが形成される。
側支持枠４１も同様に、その下端を内方に加熱押圧され、鏡面傾斜面３６b上に係止部４７bが形成され、鏡３６は、側支持枠４０、４１の係止部４７ａ，４７bによって係止され、蓋体Ｂの頂壁２５裏面に取着される。
【００１９】
次に、本実施形態の作用効果について説明する。
鏡の取付けにあたっては、蓋体の支持枠の側支持枠双方の下端を内側に加熱屈曲し、係止部を形成し、鏡の表面端縁の傾斜面に押しつけて係止させるので、鏡の取付けが簡単で、蓋体表面に強固に取着することができる。
【００２０】
側支持枠４０、４１の高さを変更することにより、内側に押圧屈曲して鏡の傾斜面３６ａ，３６bに押しつける部分を調節し、支持枠３７の下端を鏡３６の鏡面とほぼ面一、または、鏡面と連続した円弧面に形成できるので、鏡面と支持枠３７の間の美観を損なうことはない。  
【００２１】
次に、鏡支持枠の変形実施例について説明する。
本実施例は、一方の支持枠を、前もって鏡の傾斜面に係合するように形成したものである。
図６において、５０は蓋体の頂壁、５１は鏡、５２、５３は頂壁５０裏面に設けられた鏡を取着するための側支持枠である。
【００２２】
側支持枠５２は、鏡５１の傾斜面５１ａに係合する係止部５４を具えており、その根本部には、頂壁５０裏面との間に凹部５５が形成されている。
側支持枠５３は、鏡５１の厚さとほぼ同一の高さとした頂面５６と、頂面５６の内側端縁に沿って立設された突出片５７とからなっている。
【００２３】
鏡５１の取着にあたっては、まず、鏡５１の傾斜面５１ａ側の端部を凹部５５内に斜めに挿入し、次いで、傾斜面５１ａを係止部５４に係合させるようにして、鏡５１を頂壁５０裏面上に載置する。
次に、突出片５７を、加熱押圧部材４６を用いて押圧屈曲させると、図６（ｂ）に示すように、係止部５８が形成され、鏡の傾斜面５１ｂと係合し、鏡５１を頂壁５０裏面に取着することができる。
その際、鏡面と、側支持枠５２、５３の下面をほぼ面一にすることができる。
【００２４】
上記実施例において、一対の側支持枠のいずれに係止部と凹部を設けるかは、任意に選択することができる。
【００２５】
また、前記の実施形態においては、一対の側支持枠４０、４１の下端を加熱押圧して、内方に屈曲させるようにしているが、前支持枠３８ａ、３８ｂと、後支持枠３９ａ、３９ｂの下端を内方に押圧屈曲させるようにしてもよい。
その際、前支持枠３８ａ、３８ｂの左右を連結して一体にすること、後支持枠３９ａ、３９ｂの左右を連結して一体にしてもよく、前後のいずれかの支持枠のみを一体にしてもよい。
【００２６】
また、前後の支持枠の一方に、変形実施例のような係止部と凹部を設け、他方に突出片を設けて、押圧屈曲するようにしてもよい。
前後、側支持枠のうち、係止部と凹部を設ける支持枠と、押圧屈曲される突出片を設ける支持枠の数、配置は、任意に設定できる。
【００２７】
支持枠によって、鏡面が正確に支持される場合には、一つの支持枠を押圧屈曲させるだけで鏡を取外れないように取着することができ、押圧屈曲させる支持枠の位置と数も、任意に設定できる。
【００２８】
前記実施形態と実施例では、鏡の材料としてガラスとしているが、鏡の材料として合成樹脂により形成することができ、その場合には、容器本体および蓋体も同様に合成樹脂により形成しているので、構成部材のすべてを同一素材とすることができる。
このため、廃棄する際に分別する必要がなく、そのまま廃棄することができる。
【産業上の利用可能性】
【００２９】
本発明のコンパクト容器は、鏡に傾斜面を設け、支持枠の下端を内側に屈曲し、係止部として鏡を固定するようにしたので、蓋体裏面に鏡をより強固に保持することができるようになった。
支持枠の下端を鏡面にほぼ面一になるようにできるので、鏡面と支持枠の間の美観が損なわれることもない。
鏡を支持枠に嵌め込み、支持枠の下端部だけを屈曲するだけで鏡を蓋体に取着できるので、コンパクト容器の生産性を高めることができ、有用である。
【図面の簡単な説明】
【００３０】
【図１】本発明コンパクト容器の断面側面図である。
【図２】コンパクト容器の断面正面図である。
【図３】開蓋状態のコンパクト容器の側面図である。
【図４】開蓋状態のコンパクト容器の平面図である。
【図５】鏡取着時の説明図で、（ａ）は側支持枠の加熱押圧前の説明図、（ｂ）は側支持枠の加熱押圧後の説明図である。
【図６】変形実施例の説明図で、（ａ）は側支持枠の加熱押圧前の説明図、（ｂ）は側支持枠の加熱押圧後の説明図である。
【符号の説明】
【００３１】
Ａ          ケース本体
Ｂ          蓋体
Ｃ          蓋係止部材
１          底壁
２          前壁
３          後壁
４ａ，ｂ    側壁
５          嵌挿孔
８          係止片
１０        案内突起
１１        操作部材
２５、５０  頂壁
２６        前壁
２７        後壁
２８ａ，ｂ  側壁
２９        係止部材
３１        支持板
３２        係止片
３３        蝶番
３６、５１  鏡
３６ａ，ｂ、５１ａ，ｂ  傾斜面
３７        支持枠
３８ａ，ｂ  前支持枠
３９ａ，ｂ  後支持枠
４０、４１、５２、５３  側支持枠
４５        リブ
４６        加熱押圧部材
４７ａ，ｂ、５４、５８  係止部  
５５        凹部
５６        頂面
５７        突出片
【図１】
2005152375.tif 000003
【図２】
2005152375.tif 000004
【図３】
2005152375.tif 000005
【図４】
2005152375.tif 000006
【図５】
2005152375.tif 000007
【図６】
2005152375.tif 000008